(57)【要約】【課題】ユーザにとっての取り扱いを便利にし得るようにした送信装置、受信装置及び伝送方法を提供すること。【解決手段】実施の形態によれば、送信装置は、送信手段と制御手段と信号伝送手段と選択手段とを備える。送信手段は、映像または音声信号をＨＤＭＩケーブルのＴＭＤＳラインに出力する。制御手段は、ＨＥＡＣ信号を入出力する。信号伝送手段は、ＨＤＭＩ規格以外の方式に基づく信号伝送を行なう。選択手段は、ＨＥＡＣラインを、ＨＥＡＣ信号の伝送と信号伝送手段に入出力される信号の伝送とに選択的に使用するように切り替える。【選択図】    図２
2012230627.tif 000002
【特許請求の範囲】
【請求項１】
映像信号または音声信号をＨＤＭＩ規格に準拠した形態でＨＤＭＩケーブルのＴＭＤＳラインに出力する送信手段と、
前記ＨＤＭＩ規格におけるＨＥＡＣ信号を入出力する制御手段と、
前記ＨＤＭＩ規格以外の方式に基づく信号伝送を行なう信号伝送手段と、
前記ＨＤＭＩケーブルのＨＥＡＣラインを、前記制御手段に入出力されるＨＥＡＣ信号の伝送に使用する状態と、前記信号伝送手段に入出力される信号の伝送に使用する状態とに選択的に切り替える選択手段とを具備する送信装置。
【請求項２】
前記ＨＤＭＩ規格以外の方式の信号伝送機能を搭載しているか否かを問い合わせる信号を、前記ＨＤＭＩケーブルのＣＥＣラインに出力するとともに、当該問い合わせに対する応答信号を前記ＣＥＣラインを介して入力し、その入力した応答信号の解析結果に基づいて前記選択手段を切り替え制御する認証手段を備える請求項１記載の送信装置。
【請求項３】
前記認証手段は、入力した応答信号により前記ＨＤＭＩ規格以外の方式の信号伝送機能を搭載していると判断した場合、前記選択手段を、前記ＨＤＭＩケーブルのＨＥＡＣラインを前記信号伝送手段に入出力される信号の伝送に使用する状態に切り替える請求項２記載の送信装置。
【請求項４】
前記信号伝送手段は、ＵＳＢ規格に準拠した方式または２線式シリアル伝送方式のいずれかによる信号伝送を行なうものを含む請求項１記載の送信装置。
【請求項５】
ＨＤＭＩ規格に準拠した形態の映像信号または音声信号をＨＤＭＩケーブルのＴＭＤＳラインを介して入力する受信手段と、
前記ＨＤＭＩ規格におけるＨＥＡＣ信号を入出力する制御手段と、
前記ＨＤＭＩ規格以外の方式に基づく信号伝送を行なう信号伝送手段と、
前記ＨＤＭＩケーブルのＨＥＡＣラインを、前記制御手段に入出力されるＨＥＡＣ信号の伝送に使用する状態と、前記信号伝送手段に入出力される信号の伝送に使用する状態とに選択的に切り替える選択手段とを具備する受信装置。
【請求項６】
前記ＨＤＭＩ規格以外の方式の信号伝送機能を搭載しているか否かを問い合わせる信号が、前記ＨＤＭＩケーブルのＣＥＣラインを介して入力された場合、当該問い合わせに対する応答信号を前記ＣＥＣラインを介して出力するとともに、その出力した応答信号に基づいて前記選択手段を切り替え制御する認証手段を備える請求項５記載の受信装置。
【請求項７】
前記認証手段は、出力した応答信号が前記ＨＤＭＩ規格以外の方式の信号伝送機能を搭載している旨を示す場合、前記選択手段を、前記ＨＤＭＩケーブルのＨＥＡＣラインを前記信号伝送手段に入出力される信号の伝送に使用する状態に切り替える請求項６記載の受信装置。
【請求項８】
前記信号伝送手段は、ＵＳＢ規格に準拠した方式または２線式シリアル伝送方式のいずれかによる信号伝送を行なうものを含む請求項５記載の受信装置。
【請求項９】
送信装置がＨＤＭＩ規格に準拠した形態の映像信号または音声信号をＨＤＭＩケーブルのＴＭＤＳラインに出力する工程と、
受信装置が前記ＴＭＤＳラインに出力された前記映像信号または音声信号を復元する工程と、
前記送信装置が前記ＨＤＭＩ規格以外の方式の信号伝送機能を搭載しているか否かを問い合わせる信号を、前記ＨＤＭＩケーブルのＣＥＣラインに出力する工程と、
前記受信装置が前記ＣＥＣラインに出力された問い合わせ信号に対する応答信号を前記ＣＥＣラインに出力する工程と、
前記応答信号に基づいて前記送信装置及び前記受信装置が、前記ＨＤＭＩケーブルのＨＥＡＣラインを、ＨＤＭＩ規格におけるＨＥＡＣ信号の伝送に使用する状態と、前記ＨＤＭＩ規格以外の方式に基づく信号伝送を行なう信号伝送手段に入出力される信号の伝送に使用する状態とに選択的に切り替える工程とを有する伝送方法。
【発明の詳細な説明】
【技術分野】
【０００１】
この発明の実施の形態は、デジタルの映像信号や音声信号等を伝送する送信装置、受信装置及び伝送方法に関する。
【背景技術】
【０００２】
周知のように、デジタル映像信号を伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようなってきている。
【０００３】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
また、ＨＤＭＩ規格では、信号の伝送に先立ち、送信側の機器と受信側の機器との間で認証を行なうことにより、送信側の機器が受信側の機器の性能に合わせた形態で信号を出力することができる。この場合、送信側の機器は、受信側の機器からＥＤＩＤ（extended display identification data）を取得することにより、受信側の機器の受信仕様を認識し、それに合わせた形態で信号を出力している。
【０００５】
このようにＨＤＭＩ規格に準拠した信号伝送方式が市場に普及してきている一方で、例えばＰＣ（personal computer）とその周辺機器との間での信号伝送には、一般的に、ＵＳＢ規格に準拠した伝送方式が広く採用されている。このため、現在では、機器内に、ＨＤＭＩ規格とＵＳＢ規格との両方の信号伝送機能を搭載することも考えられているが、このようにすると、ユーザにとっての取り扱いが煩雑になるとともに、接続ケーブル数やコネクタの実装面積が増大することになる。
【先行技術文献】
【特許文献】
【０００６】
【特許文献１】特開２００９−２９４７９７号公報
【発明の概要】
【発明が解決しようとする課題】
【０００７】
簡易な構成で接続ケーブル数やコネクタの実装面積を増加させることなく、ＨＤＭＩ規格を含む複数種類の信号伝送方式に選択的に対応した信号伝送を行なうことを可能とし、ユーザにとっての取り扱いを便利にし得るようにした送信装置、受信装置及び伝送方法を提供することを目的とする。
【課題を解決するための手段】
【０００８】
実施の形態によれば、送信装置は、送信手段と制御手段と信号伝送手段と選択手段とを備える。送信手段は、映像信号または音声信号をＨＤＭＩ規格に準拠した形態でＨＤＭＩケーブルのＴＭＤＳラインに出力する。制御手段は、ＨＤＭＩ規格におけるＨＥＡＣ信号を入出力する。信号伝送手段は、ＨＤＭＩ規格以外の方式に基づく信号伝送を行なう。選択手段は、ＨＤＭＩケーブルのＨＥＡＣラインを、制御手段に入出力されるＨＥＡＣ信号の伝送に使用する状態と、信号伝送手段に入出力される信号の伝送に使用する状態とに選択的に切り替える。
【図面の簡単な説明】
【０００９】
【図１】実施の形態における信号伝送システムの一例を概略的に説明するために示すブロック構成図。
【図２】同実施の形態における信号伝送システムを構成する記録再生装置及びテレビジョン放送受信装置の主要部分の一例を説明するために示すブロック構成図。
【図３】同実施の形態における記録再生装置及びテレビジョン放送受信装置が備える各セレクタでの信号切り替えの一例を説明するために示すブロック構成図。
【図４】同実施の形態における信号伝送システムの主要な処理動作の一例を説明するために示すフローチャート。
【図５】同実施の形態におけるテレビジョン放送受信装置がＵＳＢ規格による信号伝送を停止する動作の一例を説明するために示すフローチャート。
【図６】同実施の形態における記録再生装置がＵＳＢ規格による信号伝送を停止する動作の一例を説明するために示すフローチャート。
【図７】同実施の形態における信号伝送システムで伝送される拡張ＣＤＣ信号のフレーム構成の一例を説明するために示す図。
【図８】同実施の形態における記録再生装置及びテレビジョン放送受信装置が備える各セレクタでの信号切り替えの他の例を説明するために示すブロック構成図。
【発明を実施するための形態】
【００１０】
以下、実施の形態について図面を参照して詳細に説明する。図１は、この実施の形態で説明する信号伝送システムの一例を概略的に示している。この信号伝送システムは、信号の送信側、つまり、ソース側となる記録再生装置１１と、信号の受信側、つまり、シンク側となるテレビジョン放送受信装置１２とを、ＨＤＭＩケーブル１３によりＨＤＭＩ１．４規格に準拠した方式での信号伝送が可能となるように接続したものである。
【００１１】
このうち、記録再生装置１１は、その内部に、例えばＤＶＤ（digital versatile disc）等の光ディスク１４を装着可能なディスクドライブ部１５と、ＨＤＤ（hard disc drive）１６とを搭載している。また、この記録再生装置１１は、アンテナ１７により放送信号を受信して映像や音声等の信号を復元する機能、入出力端子１８を介して外部から映像や音声等の信号を入力する機能、ネットワーク１９経由でアクセスしたサーバ２０から映像や音声等の信号を取得する機能等を備えている。
【００１２】
そして、この記録再生装置１１は、アンテナ１７、入出力端子１８及びサーバ２０等から取得した信号を、選択的に、ディスクドライブ部１５により光ディスク１４に対して記録再生したり、ＨＤＤ１６によりハードディスク１６ａに対して記録再生したりすることができる。なお、この記録再生装置１１は、アンテナ１７及びサーバ２０から取得した信号や、光ディスク１４及びハードディスク１６ａから再生された信号を、選択的に、入出力端子１８を介して外部に導出することができる。
【００１３】
また、この記録再生装置１１は、アンテナ１７、入出力端子１８及びサーバ２０等から取得した信号や、光ディスク１４及びハードディスク１６ａから再生された信号を、選択的に、ＨＤＭＩケーブル１３によりＨＤＭＩ規格に準拠した形態でテレビジョン放送受信装置１２に出力することができる。
【００１４】
このテレビジョン放送受信装置１２は、アンテナ２１により受信した放送信号から映像や音声等の信号を復元して映像表示や音声再生等を行なう機能や、ＨＤＭＩケーブル１３を介して受信した映像や音声等の信号により映像表示や音声再生等を行なう機能等を備えている。
【００１５】
また、上記した記録再生装置１１及びテレビジョン放送受信装置１２は、詳細は後述するが、ＨＤＭＩ規格以外の信号伝送方式としてＵＳＢ規格に準拠した信号伝送機能をそれぞれ搭載している。そして、この実施の形態では、記録再生装置１１とテレビジョン放送受信装置１２との間で、同じＨＤＭＩケーブル１３を用いて、ＨＤＭＩ規格に準拠した信号伝送と、ＵＳＢ規格に準拠した信号伝送とを、選択的に実現することができるようになっている。
【００１６】
これにより、簡易な構成で接続ケーブル数やコネクタの実装面積等を増加させることなく、ＨＤＭＩ規格を含む複数種類の信号伝送方式に選択的に対応した信号伝送を行なうことを可能とし、ユーザにとっての取り扱いを便利にすることができるようになる。
【００１７】
図２は、上記記録再生装置１１、テレビジョン放送受信装置１２及びＨＤＭＩケーブル１３について、主要となる部分の一例を示している。まず、記録再生装置１１は、上記したアンテナ１７、入出力端子１８及びサーバ２０等から取得した信号や、光ディスク１４及びハードディスク１６ａから再生された信号等が、選択的に供給されるＨＤＭＩ送信部２２を備えている。
【００１８】
このＨＤＭＩ送信部２２は、入力された信号をＴＭＤＳ（transmission minimized differential signaling）方式に準拠した形態に変換し、端子１１ａを介してＨＤＭＩケーブル１３のＴＭＤＳライン１３ａに出力する機能と、テレビジョン放送受信装置１２からＥＤＩＤを取得するための信号を、端子１１ｂを介してＩ２Ｃ（inter-integrated circuit）でなるＨＤＭＩケーブル１３のＤＤＣ（display data channel）ライン１３ｂに出力する機能と、＋５Ｖの電源電圧を端子１１ｃ経由でＨＤＭＩケーブル１３の＋５Ｖ電源ライン１３ｃに出力する機能とを備えている。
【００１９】
また、このＨＤＭＩ送信部２２は、ＨＥＡＣ［HDMI Ethernet（登録商標）and audio return channel］信号制御部２２ａを備えている。このＨＥＡＣ信号制御部２２ａは、ＨＰＤ（hot-plug detect）ライン２２ｂとUtilityライン２２ｃとを用いてＨＥＡＣ信号の入出力を行なっている。このＨＰＤライン２２ｂとUtilityライン２２ｃとは、セレクタ２３の一方の入力端に接続されている。
【００２０】
さらに、上記ＨＰＤライン２２ｂは、認証処理部２４に接続されている。この認証処理部２４は、テレビジョン放送受信装置１２にＨＤＭＩ規格以外の方式の信号伝送機能を搭載しているか否かを問い合わせる信号を、端子１１ｄを介してＨＤＭＩケーブル１３のＣＥＣライン１３ｄに出力する。なお、この認証処理部２４は、問い合わせに対するテレビジョン放送受信装置１２からの応答信号を受信する機能も備えている。
【００２１】
また、上記セレクタ２３の他方の入力端には、ＵＳＢホスト２５に対してＵＳＢ規格に準拠した形態の信号を入出力するための、Ｄ＋ライン２５ａとＤ−ライン２５ｂとが接続されている。このセレクタ２３は、ＨＤＭＩ送信部２２によって、ＨＰＤライン２２ｂ及びUtilityライン２２ｃを介しての信号の入出力状態と、Ｄ＋ライン２５ａ及びＤ−ライン２５ｂを介しての信号の入出力状態とに選択的に切替制御される。
【００２２】
そして、セレクタ２３がＨＰＤライン２２ｂ及びUtilityライン２２ｃによる信号の入出力状態に切り替えられている場合、Utilityライン２２ｃが端子１１ｅを介してＨＤＭＩケーブル１３のＨＥＡＣ＋ライン１３ｅに接続され、ＨＰＤライン２２ｂが端子１１ｆを介してＨＤＭＩケーブル１３のＨＥＡＣ−ライン１３ｆに接続される。
【００２３】
また、セレクタ２３がＤ＋ライン２５ａ及びＤ−ライン２５ｂによる信号の入出力状態に切り替えられている場合、Ｄ−ライン２５ｂが端子１１ｅを介してＨＤＭＩケーブル１３のＨＥＡＣ＋ライン１３ｅに接続され、Ｄ＋ライン２５ａが端子１１ｆを介してＨＤＭＩケーブル１３のＨＥＡＣ−ライン１３ｆに接続される。
【００２４】
一方、テレビジョン放送受信装置１２は、上記ＴＭＤＳライン１３ａを介して伝送される信号が、端子１２ａを介して供給されるＨＤＭＩ受信部２６を備えている。このＨＤＭＩ受信部２６は、ＴＭＤＳライン１３ａを介して供給された信号を、元の映像や音声等の信号に復元し、表示部２７での映像表示や、図示しないスピーカでの音声再生に供させている。
【００２５】
また、ＨＤＭＩ受信部２６は、ＥＤＩＤメモリ２６ａを備えている。このＥＤＩＤメモリ２６ａは、上記ＤＤＣライン１３ｂによりＥＤＩＤを取得するための信号が端子１２ｂを介して供給されると、記憶しているＥＤＩＤが読み出され、端子１２ｂを介してＤＤＣライン１３ｂに出力される。
【００２６】
さらに、ＨＤＭＩ受信部２６には、上記＋５Ｖ電源ライン１３ｃを介して供給される＋５Ｖの電源電圧が、端子１２ｃを介して印加される。
【００２７】
また、ＨＤＭＩ受信部２６は、ＨＥＡＣ信号制御部２６ｂを備えている。このＨＥＡＣ信号制御部２６ｂは、ＨＰＤライン２６ｃとUtilityライン２６ｄとを用いてＨＥＡＣ信号の入出力を行なっている。このＨＰＤライン２６ｃとUtilityライン２６ｄとは、セレクタ２８の一方の入力端に接続されている。
【００２８】
さらに、上記ＨＰＤライン２６ｃは、認証処理部２９に接続されている。この認証処理部２９は、上記ＣＥＣライン１３ｄにより記録再生装置１１から伝送機能の問い合わせが端子１２ｄを介して供給されると、それに対する応答信号を、端子１２ｄを介してＣＥＣライン１３ｄに出力する。
【００２９】
また、上記セレクタ２８の他方の入力端には、ＵＳＢデバイス３０に対してＵＳＢ規格に準拠した形態の信号を入出力するための、Ｄ＋ライン３０ａとＤ−ライン３０ｂとが接続されている。このセレクタ３０は、ＨＤＭＩ受信部２６によって、ＨＰＤライン２６ｃ及びUtilityライン２６ｄを介しての信号の入出力状態と、Ｄ＋ライン３０ａ及びＤ−ライン３０ｂを介しての信号の入出力状態とに選択的に切替制御される。
【００３０】
そして、セレクタ２８がＨＰＤライン２６ｃ及びUtilityライン２６ｄによる信号の入出力状態に切り替えられている場合、Utilityライン２６ｄが端子１２ｅを介してＨＤＭＩケーブル１３のＨＥＡＣ＋ライン１３ｅに接続され、ＨＰＤライン２６ｃが端子１２ｆを介してＨＤＭＩケーブル１３のＨＥＡＣ−ライン１３ｆに接続される。
【００３１】
また、セレクタ２８がＤ＋ライン３０ａ及びＤ−ライン３０ｂによる信号の入出力状態に切り替えられている場合、Ｄ−ライン３０ｂが端子１２ｅを介してＨＤＭＩケーブル１３のＨＥＡＣ＋ライン１３ｅに接続され、Ｄ＋ライン３０ａが端子１２ｆを介してＨＤＭＩケーブル１３のＨＥＡＣ−ライン１３ｆに接続される。
【００３２】
なお、上記ＵＳＢデバイス３０には、それを操作するためのタッチパネル３１が接続されている。また、テレビジョン放送受信装置１２には、５Ｖ電源３２からの供給電力に基づいて、必要な各部に必要なタイミングで電源電圧を供給するための電源供給部３３が備えられている。
【００３３】
図３は、上記記録再生装置１１に備えられたセレクタ２３と、テレビジョン放送受信装置１２に備えられたセレクタ２８との、具体的な構成の一例を示している。すなわち、セレクタ２３は、ＨＥＡＣ信号制御部２２ａのＨＰＤライン２２ｂとＵＳＢホスト２５のＤ＋ライン２５ａとを、ＨＤＭＩケーブル１３のＨＥＡＣ−ライン１３ｆに選択的に接続させるように切り替えるスイッチ２３ａと、ＨＥＡＣ信号制御部２２ａのUtilityライン２２ｃとＵＳＢホスト２５のＤ−ライン２５ｂとを、ＨＤＭＩケーブル１３のＨＥＡＣ＋ライン１３ｅに選択的に接続させるように切り替えるスイッチ２３ｂとを備えている。これらのスイッチ２３ａ，２３ｂは、ＨＤＭＩ送信部２２の制御により、共に連動して、図示の状態と図示と逆の状態とに選択的に切り替えられる。
【００３４】
また、セレクタ２８は、ＨＥＡＣ信号制御部２６ｂのＨＰＤライン２６ｃとＵＳＢデバイス３０のＤ＋ライン３０ａとを、ＨＤＭＩケーブル１３のＨＥＡＣ−ライン１３ｆに選択的に接続させるように切り替えるスイッチ２８ａと、ＨＥＡＣ信号制御部２６ｂのUtilityライン２６ｄとＵＳＢデバイス３０のＤ−ライン３０ｂとを、ＨＤＭＩケーブル１３のＨＥＡＣ＋ライン１３ｅに選択的に接続させるように切り替えるスイッチ２８ｂとを備えている。これらのスイッチ２８ａ，２８ｂは、ＨＤＭＩ受信部２６の制御により、共に連動して、図示の状態と図示と逆の状態とに選択的に切り替えられる。
【００３５】
図４は、上記のような構成となされた信号伝送システムの主要な処理動作をまとめたフローチャートを示している。まず、記録再生装置１１は、その主電源が投入されて起動されると、ステップＳ１に示すように、ＨＤＭＩ送信部２２が、セレクタ２３をＨＥＡＣ信号制御部２２ａのＨＰＤライン２２ｂとUtilityライン２２ｃとを選択した状態に設定する。
【００３６】
このようなセレクタ２３の設定状態で、記録再生装置１１とテレビジョン放送受信装置１２とがＨＤＭＩケーブル１３で接続されると、ＨＤＭＩ送信部２２は、ステップＳ２に示すように、端子１１ｃ経由で＋５Ｖの電源電圧をＨＤＭＩケーブル１３の＋５Ｖ電源ライン１３ｃに出力する。
【００３７】
そして、この＋５Ｖ電源ライン１３ｃを介して＋５Ｖの電源電圧が端子１２ｃに供給されたテレビジョン放送受信装置１２は、ステップＳ３に示すように、そのＨＤＭＩ受信部２６が、セレクタ２３をＨＥＡＣ信号制御部２６ｂのＨＰＤライン２６ｃとUtilityライン２６ｄとを選択した状態に設定する。
【００３８】
これにより、記録再生装置１１とテレビジョン放送受信装置１２とは、その各ＨＰＤライン２２ｂ，２６ｃ同士がＨＤＭＩケーブル１３のＨＥＡＣ−ライン１３ｆで共通接続され、各Utilityライン２２ｃ，２６ｄ同士がＨＤＭＩケーブル１３のＨＥＡＣ＋ライン１３ｅで共通接続されることになる。
【００３９】
また、テレビジョン放送受信装置１２のＨＤＭＩ受信部２６は、ステップＳ４に示すように、そのＨＥＡＣ信号制御部２６ｂによりＨＰＤライン２６ｃをＨ（high）レベルに設定する。このＨＰＤライン２６ｃがＨレベルに設定されたことは、セレクタ２８、ＨＥＡＣ−ライン１３ｆ及び記録再生装置１１のセレクタ２３を介してＨＥＡＣ信号制御部２２ａ、ひいては、ＨＤＭＩ送信部２２に認識される。
【００４０】
すると、ＨＤＭＩ送信部２２は、ステップＳ５に示すように、ＥＤＩＤを取得するための信号をＨＤＭＩケーブル１３のＤＤＣライン１３ｂに出力することによりＥＤＩＤメモリ２６ａにアクセスし、ステップＳ６に示すように、ＥＤＩＤメモリ２６ａからＥＤＩＤに記述された機器配置情報であるＰＡ（physical address）を取得する。また、ＨＤＭＩ送信部２２は、取得したＰＡを自己のＰＡとする。
【００４１】
次に、ＨＤＭＩ送信部２２は、ステップＳ７に示すように、テレビジョン放送受信装置１２にＨＤＭＩ規格以外の方式の信号伝送機能を搭載しているか否かを問い合わせる信号を、認証処理部２４によりＨＤＭＩケーブル１３のＣＥＣライン１３ｄに出力させる。この伝送機能を問い合わせる信号としては、拡張ＣＤＣ（capablity dicovery and control）信号が使用される。
【００４２】
このように伝送機能を問い合わせる信号が供給されると、テレビジョン放送受信装置１２の認証処理部２９は、ステップＳ８に示すように、テレビジョン放送受信装置１２の有する伝送機能の種類を示す応答信号を、ＨＤＭＩケーブル１３のＣＥＣライン１３ｄに出力する。この応答信号としても、拡張ＣＤＣ信号が使用される。
【００４３】
そして、記録再生装置１１の認証処理部２４は、テレビジョン放送受信装置１２の認証処理部２９からの応答信号を解析し、伝送機能が制御可能である場合には、ステップＳ９に示すように、制御機能確認信号をＣＥＣライン１３ｄに出力する。なお、伝送機能が制御不可である場合には、何もメッセージを送出しないようになされる。
【００４４】
記録再生装置１１の認証処理部２４からＣＥＣライン１３ｄを介して制御機能確認信号を受信したテレビジョン放送受信装置１２の認証処理部２９は、その旨をＨＤＭＩ受信部２６に通知する。すると、ＨＤＭＩ受信部２６は、ステップＳ１０に示すように、セレクタ２８をＵＳＢデバイス３０のＤ＋ライン３０ａとＤ−ライン３０ｂとを選択した状態に切り替える。また、このとき、電源供給部３３からＵＳＢデバイス３０に対して電源供給が開始される。
【００４５】
そして、セレクタ２８が切り替えられると、ステップＳ１１に示すように、テレビジョン放送受信装置１２の認証処理部２９は、その旨を示す切替信号を、ＣＥＣライン１３ｄ経由で記録再生装置１１の認証処理部２４に出力する。すると、この認証処理部２４は、切替信号を受信した旨をＨＤＭＩ送信部２２に通知する。このため、ＨＤＭＩ送信部２２は、ステップＳ１２に示すように、セレクタ２３をＵＳＢホスト２５のＤ＋ライン２５ａとＤ−ライン２５ｂとを選択した状態に切り替える。
【００４６】
これにより、記録再生装置１１とテレビジョン放送受信装置１２とは、その各Ｄ＋ライン２５ａ，３０ａ同士がＨＤＭＩケーブル１３のＨＥＡＣ−ライン１３ｆで共通接続され、各Ｄ−ライン２５ｂ，３０ｂ同士がＨＤＭＩケーブル１３のＨＥＡＣ＋ライン１３ｅで共通接続されることになる。
【００４７】
このため、ステップＳ１３に示すように、ＨＤＭＩケーブル１３のＨＥＡＣ＋ライン１３ｅとＨＥＡＣ−ライン１３ｆとを用いて、記録再生装置１１とテレビジョン放送受信装置１２との間で、ＵＳＢ規格に準拠した方式での信号伝送を行なうことが可能となる。
【００４８】
また、ＵＳＢ規格に準拠した方式で信号伝送が継続している間は、テレビジョン放送受信装置１２の認証処理部２９は、ステップＳ１４に示すように、ＣＥＣライン１３ｄを介して継続確認のメッセージ（ポーリングメッセージ）を定期的（例えば６０秒毎）に、記録再生装置１１の認証処理部２４に送出する。記録再生装置１１は、ポーリングが途切れるまでセレクタ２３をＵＳＢ接続状態に維持する。
【００４９】
なお、上記ステップＳ８にて送信される、テレビジョン放送受信装置１２の有する伝送機能の種類を示す応答信号としては、ＵＳＢ規格に準拠した信号伝送手段、つまり、ＵＳＢデバイス３０が存在することを示す情報の他に、そのＵＳＢデバイス３０における信号伝送速度等を示す情報が含まれていても良いものである。
【００５０】
図５及び図６は、ＵＳＢ規格に準拠した信号伝送が停止される場合の例を示している。まず、テレビジョン放送受信装置１２は、図５（ａ）に示すように、記録再生装置１１のＨＤＭＩ送信部２２からの＋５Vの電源電圧の供給が途絶えた場合や、図５（ｂ）に示すように、記録再生装置１１からＵＳＢ接続中止メッセージが供給された場合に、セレクタ２８をＨＥＡＣ信号制御部２６ｂのＨＰＤライン２６ｃとUtilityライン２６ｄとを選択した状態に戻して、ＵＳＢ規格に準拠した信号伝送を停止する。
【００５１】
また、記録再生装置１１については、図６（ａ）に示すように、テレビジョン放送受信装置１２からのポーリングメッセージが規定時間内に到達しなかった場合や、図６（ｂ）に示すように、テレビジョン放送受信装置１２からＵＳＢ接続中止メッセージが供給された場合に、セレクタ２３をＨＥＡＣ信号制御部２２ａのＨＰＤライン２２ｂとUtilityライン２２ｃとを選択した状態に戻して、ＵＳＢ規格に準拠した信号伝送を停止する。
【００５２】
図７は、上記した拡張ＣＤＣ信号のフレーム構成の一例を示している。基本的には、従前のＣＤＣと互換性のあるフレーム構成となっている。すなわち、第２ブロックの、CEC Opecode Blockの値が（0xFC）の場合に、拡張メッセージとしている。第５ブロックのExtend CDC Opecodeに、伝送機能を問い合わせるメッセージ、伝送機能の種類を示す応答メッセージ、ポーリングメッセージ等の伝送機能の切り替えに必要となるメッセージを規定し、その後のExtend CDC Parametersに、各メッセージに必要なパラメータを規定している。また、ＵＳＢ規格による信号伝送の制御に関するメッセージも、Extend CDC Opecodeで規定している。
【００５３】
上記した実施の形態によれば、ソース側となる記録再生装置１１がシンク側となるテレビジョン放送受信装置１２に対して、ＨＤＭＩ規格以外の方式を用いた信号伝送手段を有するか否かの問い合わせを行ない、有するとの応答（上記の実施の形態の場合、ＵＳＢ規格に準拠した信号伝送手段）があった場合、ＨＤＭＩケーブル１３のＨＥＡＣ＋ライン１３ｅとＨＥＡＣ−ライン１３ｆを用いて、ＵＳＢ規格に準拠した信号伝送を行なえるようにしている。
【００５４】
すなわち、記録再生装置１１とテレビジョン放送受信装置１２との間で、同じＨＤＭＩケーブル１３のＨＥＡＣ＋ライン１３ｅとＨＥＡＣ−ライン１３ｆを用いて、ＨＥＡＣ信号の伝送と、ＵＳＢ規格に準拠した信号の伝送とを、選択的に実現することができるようにしている。これにより、簡易な構成で接続ケーブル数やコネクタの実装面積等を増加させることなく、ＨＤＭＩ規格を含む複数種類の信号伝送方式に選択的に対応した信号伝送を行なうことが可能となり、ユーザにとっての取り扱いを便利にすることができるようになる。
【００５５】
ここで、上記した実施の形態では、ＨＤＭＩ規格以外の方式を用いた信号伝送手段としてＵＳＢ規格による信号伝送について説明したが、これに限らず、例えばＵＡＲＴ（universal asynchronous receiver transmitter）等の２線式シリアル伝送手段であっても良いものである。
【００５６】
この伝送手段の場合は、記録再生装置１１に備えられるＵＡＲＴホストとテレビジョン放送受信装置１２に備えられるＵＡＲＴデバイスとに、それぞれ送信ラインＴＸＤと受信ラインＲＸＤという極性がある。このため、セレクタ２３，２８への接続は、図８に示すように行なう必要がある。
【００５７】
すなわち、セレクタ２３のスイッチ２３ａは、ＨＥＡＣ信号制御部２２ａのＨＰＤライン２２ｂとＵＡＲＴホストの送信ラインＴＸＤとを、ＨＤＭＩケーブル１３のＨＥＡＣ−ライン１３ｆに選択的に接続させるように切り替え、スイッチ２３ｂは、ＨＥＡＣ信号制御部２２ａのUtilityライン２２ｃとＵＡＲＴホストの受信ラインＲＸＤｂとを、ＨＤＭＩケーブル１３のＨＥＡＣ＋ライン１３ｅに選択的に接続させるように切り替える。
【００５８】
また、セレクタ２８のスイッチ２８ａは、ＨＥＡＣ信号制御部２６ｂのＨＰＤライン２６ｃとＵＡＲＴデバイスの送信ラインＴＸＤとを、ＨＤＭＩケーブル１３のＨＥＡＣ−ライン１３ｆに選択的に接続させるように切り替え、スイッチ２８ｂは、ＨＥＡＣ信号制御部２６ｂのUtilityライン２６ｄとＵＡＲＴデバイスの受信ラインＲＸＤとを、ＨＤＭＩケーブル１３のＨＥＡＣ＋ライン１３ｅに選択的に接続させるように切り替える。
【００５９】
さらに、上記した実施の形態では、ソース側がホスト機能を備え、シンク側がデバイス機能を備えることについて説明したが、これは逆に、ソース側がデバイス機能を備え、シンク側がホスト機能を備えるようにしても良いことはもちろんである。
【００６０】
また、上記した実施の形態では、シンク側となるテレビジョン放送受信装置１２内にＵＳＢデバイス３０を備えるようにしたが、これに限らず、テレビジョン放送受信装置１２にはＵＳＢコネクタを備え、そのコネクタに外部のＵＳＢデバイスを接続する構成としても良いものである。この場合、外部接続されるＵＳＢデバイスとしては、例えばキーボートー、マウス、タブレット等が考えられる。
【００６１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６２】
１１…記録再生装置、１１ａ〜１１ｆ…端子、１２…テレビジョン放送受信装置、１２ａ〜１２ｆ…端子、１３…ＨＤＭＩケーブル、１３ａ…ＴＭＤＳライン、１３ｂ…ＤＤＣライン、１３ｃ…＋５Ｖ電源ライン、１３ｄ…ＣＥＣライン、１３ｅ…ＨＥＡＣ＋ライン、１３ｆ…ＨＥＡＣ−ライン、１４…光ディスク、１５…ディスクドライブ部、１６…ＨＤＤ、１６ａ…ハードディスク、１７…アンテナ、１８…入出力端子、１９…ネットワーク、２０…サーバ、２１…アンテナ、２２…ＨＤＭＩ送信部、２２ａ…ＨＥＡＣ信号制御部、２２ｂ…ＨＰＤライン、２２ｃ…Utilityライン、２３…セレクタ、２４…認証処理部、２５…ＵＳＢホスト、２５ａ…Ｄ＋ライン、２５ｂ…Ｄ−ライン、２６…ＨＤＭＩ受信部、２６ａ…ＥＤＩＤメモリ、２６ｂ…ＨＥＡＣ信号制御部、２６ｃ…ＨＰＤライン、２６ｄ…Utilityライン、２７…表示部、２８…セレクタ、２９…認証処理部、３０…ＵＳＢデバイス、３０ａ…Ｄ＋ライン、３０ｂ…Ｄ−ライン、３１…タッチパネル、３２…５Ｖ電源、３３…電源供給部。
【図１】
2012230627.tif 000003
【図２】
2012230627.tif 000004
【図３】
2012230627.tif 000005
【図４】
2012230627.tif 000006
【図５】
2012230627.tif 000007
【図６】
2012230627.tif 000008
【図７】
2012230627.tif 000009
【図８】
2012230627.tif 000010